(57)【要約】【課題】温度に対する信頼性の向上を図ることが可能な照明器具を提供する。【解決手段】照明器具１は、光源ユニット３と、点灯回路８０と、検出回路１３と、制御部８５と、を備える。光源ユニット３は、ＬＥＤモジュール３１と、ＬＥＤモジュール３１を収納したケースと、を有する。点灯回路８０は、電池パックから給電されてＬＥＤモジュール３１を点灯させる。検出回路１３は、光源ユニット３の温度に応じて電気抵抗値が変化する感温素子ＲＴを含み、感温素子ＲＴの電気抵抗値の変化に応じて検出値が変化する。制御部８５は、検出回路１３による検出値が第１規定温度に対応する第１閾値に達すると点灯回路８０によってＬＥＤモジュール３１の光出力を低減させ、第１規定温度よりも高温の第２規定温度に対応する第２閾値に達すると点灯回路８０によってＬＥＤモジュール３１を消灯させる。【選択図】図１
2018174103.tif 000002
【特許請求の範囲】
【請求項１】
ＬＥＤモジュールと前記ＬＥＤモジュールを収納したケースとを有する光源ユニットと、
電池パックから給電されて前記ＬＥＤモジュールを点灯させる点灯回路と、
前記光源ユニットの温度に応じて電気抵抗値が変化する感温素子を含み、前記感温素子の電気抵抗値の変化に応じて検出値が変化する検出回路と、
前記検出回路による検出値が第１規定温度に対応する第１閾値に達すると前記点灯回路によって前記ＬＥＤモジュールの光出力を低減させ、前記第１規定温度よりも高温の第２規定温度に対応する第２閾値に達すると前記点灯回路によって前記ＬＥＤモジュールを消灯させる制御部と、を備える
ことを特徴とする照明器具。
【請求項２】
前記光源ユニットは、前記ケース内に前記ＬＥＤモジュールを複数有し、
前記検出回路は、前記複数のＬＥＤモジュールに一対一に対応するように前記感温素子を複数有し、かつ、抵抗素子を更に有し、
前記検出回路では、前記抵抗素子と前記複数の感温素子とが直列接続されている
ことを特徴とする請求項１記載の照明器具。
【請求項３】
前記複数のＬＥＤモジュールの各々は、ＬＥＤと、前記ＬＥＤが実装された回路基板と、を有し、
前記複数の感温素子の各々は、前記複数のＬＥＤモジュールのうち対応するＬＥＤモジュールの前記回路基板に実装されている
ことを特徴とする請求項２記載の照明器具。
【請求項４】
前記複数の感温素子の各々は、ＮＣＴサーミスタであり、前記複数のＬＥＤモジュールのうち対応するＬＥＤモジュールの温度に応じて電気抵抗値が変化するように配置されており、
前記電池パックから供給される直流電圧を所定の制御電圧にＤＣ−ＤＣ変換して前記検出回路及び前記制御部へ与える制御電源回路を備え、
前記検出回路では、前記抵抗素子が前記制御電源回路の一対の出力端のうち高電位側の出力端に接続されている
ことを特徴とする請求項３記載の照明器具。
【請求項５】
前記制御部は、前記検出回路の検出値であるアナログの第１電圧信号をデジタルの第２電圧信号に変換して出力するＡ／Ｄ変換部と、前記Ａ／Ｄ変換部から出力される前記第２電圧信号に応じたＰＷＭ信号を出力する出力部と、を有し、
前記点灯回路は、前記ＰＷＭ信号に応じて前記ＬＥＤモジュールへ供給する電流の電流値を変える
ことを特徴とする請求項４記載の照明器具。
【請求項６】
前記電池パックが着脱可能に装着される装着部を有するベースを備え、
前記制御部、前記点灯回路及び前記抵抗素子が前記ベースに収納されている
ことを特徴とする請求項２乃至５のいずれか一項に記載の照明器具。
【請求項７】
前記光源ユニットを複数備え、
前記複数の光源ユニットを前記ベースに連結する連結装置を更に備え、
前記連結装置は、前記複数の光源ユニットの各々を第１軸の周りにおいて第１位置と第２位置との間で回転可能となるように前記複数の光源ユニットを前記ベースに連結する複数のヒンジ装置と、前記複数の光源ユニットの各々を前記第１軸に交差する第２軸の周りで回転可能となるように前記複数の光源ユニットの各々を前記複数のヒンジ装置に連結する複数の回転機構と、を有し、
前記複数のヒンジ装置は、前記複数の光源ユニットの各々が前記第１位置から前記第２位置に回転するときの回転方向が異なるように構成され、
前記複数の回転機構は、前記複数の光源ユニットそれぞれが前記第１位置に在るときに前記複数の光源ユニットが集まっていて前記複数の光源ユニットそれぞれの光出射面が外側を向いた基準状態となるように前記複数の光源ユニットの各々の前記第２軸の周りの回転範囲を規定している
ことを特徴とする請求項６記載の照明器具。
【請求項８】
前記複数のヒンジ装置の各々は、前記第１軸の周りで回転可能なリング状のヒンジ部及びリング部と、前記ヒンジ部と前記リング部とを連結し前記ヒンジ部及び前記リング部の径方向外向きに突出したアームと、を有し、
前記複数の回転機構の各々は、前記複数の光源ユニットの各々において前記アームとの対向面から突出している筒状の軸部と、前記アームに設けられ前記軸部を回転可能に保持し前記第２軸を規定する軸受部と、を有し、
前記光源ユニットの前記ケース内の前記ＬＥＤモジュールと前記点灯回路とを接続する一対の給電用リード線と、前記検出回路における前記複数の感温素子の直列回路の両端それぞれに１本ずつ接続された一対の配線用リード線と、を有し、
前記一対の給電用リード線及び前記一対の配線用リード線が、前記軸部を通っている
ことを特徴とする請求項７記載の照明器具。
【請求項９】
前記制御部は、前記電池パックから前記電池パックの温度情報を取得する取得部を更に有し、前記取得部において取得した温度情報が第３規定温度に対応する第３閾値に達すると前記点灯回路によって前記ＬＥＤモジュールの光出力を低減させ、前記第３規定温度よりも高温の第４規定温度に対応する第４閾値に達すると前記点灯回路によって前記ＬＥＤモジュールを消灯させる
ことを特徴とする請求項１乃至８のいずれか一項に記載の照明器具。
【発明の詳細な説明】
【技術分野】
【０００１】
本発明は、一般に、照明器具に関し、より詳細には、電池パックから給電される照明器具に関するものである。
【背景技術】
【０００２】
従来、照明器具として、本体部と、照明部と、バッテリパック（電池パック）と、を備える照明装置が提案されている（特許文献１）。本体部は、使用者が把持可能な棒状に形成されている。照明部は、本体部の長手方向の一端側に設けられている。バッテリパックは、本体部の長手方向の他端側に着脱自在に装着されている。
【０００３】
照明部は、本体部の長手方向の一端側に形成された連結部を介して、本体部に対し揺動可能、かつ、本体部に対し折り畳み可能、に設けられている。
【先行技術文献】
【特許文献】
【０００４】
【特許文献１】特開２０１６−５１５９８号公報
【発明の概要】
【発明が解決しようとする課題】
【０００５】
照明器具では、その使用状況によっては使用中に動作温度が使用温度範囲の上限よりも高温になってしまう可能性がある。
【０００６】
本発明の目的は、温度に対する信頼性の向上を図ることが可能な照明器具を提供することにある。
【課題を解決するための手段】
【０００７】
本発明に係る一態様の照明器具は、光源ユニットと、点灯回路と、検出回路と、制御部と、を備える。前記光源ユニットは、ＬＥＤモジュールと、前記ＬＥＤモジュールを収納したケースと、を有する。前記点灯回路は、電池パックから給電されて前記ＬＥＤモジュールを点灯させる。前記検出回路は、前記光源ユニットの温度に応じて電気抵抗値が変化する感温素子を含み、前記感温素子の電気抵抗値の変化に応じて検出値が変化する。前記制御部は、前記検出回路による検出値が第１規定温度に対応する第１閾値に達すると前記点灯回路によって前記ＬＥＤモジュールの光出力を低減させ、前記第１規定温度よりも高温の第２規定温度に対応する第２閾値に達すると前記点灯回路によって前記ＬＥＤモジュールを消灯させる。
【発明の効果】
【０００８】
本発明の照明器具は、温度に対する信頼性の向上を図ることが可能となる。
【図面の簡単な説明】
【０００９】
【図１】図１は、本発明の実施形態に係る照明器具の回路図である。
【図２】図２は、同上の照明器具の動作説明図である。
【図３】図３は、同上の照明器具の上側から見た斜視図である。
【図４】図４Ａは、同上の照明器具の正面図である。図４Ｂは、同上の照明器具の左側面図である。図４Ｃは、同上の照明器具の右側面図である。
【図５】図５は、同上の照明器具においてハンドルを取り外した状態の斜視図である。
【図６】図６は、同上の照明器具の分解斜視図である。
【図７】図７は、同上の照明器具の光源ユニットの分解斜視図である。
【図８】図８は、同上の照明器具の下側から見た斜視図である。
【図９】図９は、同上の照明器具に装着する電池パックの斜視図である。
【図１０】図１０は、同上の照明器具における複数の光源ユニットそれぞれの第１位置及び第２位置の説明図である。
【図１１】図１１は、同上の照明器具の使用形態の一例を示す斜視図である。
【図１２】図１２は、同上の照明器具に関し、図４ＡのＸ１−Ｘ１断面図である。
【図１３】図１３は、同上の照明器具に関し、図４ＡのＸ２−Ｘ２断面図である。
【図１４】図１４は、同上の照明器具における要部斜視図である。
【発明を実施するための形態】
【００１０】
（実施形態）
以下では、本実施形態の照明器具１について図１〜１４に基づいて説明する。
【００１１】
照明器具１は、可搬型の照明器具である。照明器具１は、より詳細には、ランタン、投光器等として使用可能である。
【００１２】
以下、照明器具１の構造について図３〜１４に基づいて説明した後、照明器具１の回路構成についてより詳細に説明する。
【００１３】
照明器具１は、ベース２と、複数（ここでは、２つ）の光源ユニット３と、連結装置４と、回路ユニット８（図１及び６参照）と、を備える。照明器具１では、電池パック９が着脱可能に装着される装着部１０が、ベース２に設けられている。電池パック９は、ベース２に設けられた装着部１０に装着されることにより、回路ユニット８と電気的に接続される。複数の光源ユニット３の各々は、光源３０（図１及び３参照）を備える。光源３０は、２つのＬＥＤモジュール３１（ＬＥＤ：Light Emitting Diode）を有する。連結装置４は、複数の光源ユニット３をベース２に連結する。回路ユニット８は、複数の光源ユニット３を点灯させる点灯回路８０（図１参照）と、点灯回路８０を制御する制御部８５（図１参照）と、を含む。回路ユニット８は、ベース２に収納されている。回路ユニット８は、電池パック９から給電される。照明器具１は、上述の電池パック９を構成要素として含まないが、電池パック９を構成要素として含んでいてもよい。また、照明器具１は、複数の光源ユニット３の各々の温度変化に応じて検出値が変化する複数（ここでは、２つ）の検出回路１３（図１参照）を備える。複数の検出回路１３の各々は、光源ユニット３の温度に応じて電気抵抗値が変化する感温素子ＲＴを含み、感温素子ＲＴの電気抵抗値の変化に応じて検出値が変化する。複数の検出回路１３は、複数の光源ユニット３と一対一に対応している。
【００１４】
ベース２は、偏平な直方体状に形成されており、厚さ方向の第１面２１及び第２面２２（図８参照）を有する。ベース２は、電気絶縁性を有する。ベース２は、中空であり、回路ユニット８（図６参照）を収納できるように構成されている。電池パック９は、ベース２に設けられた装着部１０（図３及び８参照）に着脱可能に装着される。
【００１５】
電池パック９（図９参照）は、複数（例えば、５個）の二次電池（例えば、リチウムイオン電池）と、これら複数の二次電池を収納した直方体状のハウジング本体９１と、ハウジング本体９１の一面９１１の一部から突出した偏平な直方体状の突台部９２と、を備える。ハウジング本体９１及び突台部９２は、電気絶縁性を有する。電池パック９は、ハウジング本体９１内において５個のリチウムイオン電池が直列接続されている。電池パック９の定格電圧は、１８Ｖである。電池パック９は、通信用コネクタ９９を備える。通信用コネクタ９９は、電池パック９の情報を示す電池情報を通信するためのコネクタである。電池情報には、温度情報、残容量情報、定格電圧情報、定格容量情報、回数情報等が含まれる。電池パック９としては、例えば、パナソニック株式会社製のリチウムイオン電池パックであるＥＺ９Ｌ５４（品番）を採用できる。
【００１６】
突台部９２は、長手方向の第１端９２１及び第２端９２２を有する。電池パック９は、突台部９２の第１端９２１に、３つの挿入溝９３１、９３２、９３３が形成されている。３つの挿入溝９３１、９３２、９３３には、雌型の接続端子９６１、９６２、９６３がそれぞれ収納されている。また、電池パック９は、突台部９２の短手方向の一対の側面９２３の各々に設けられたＬ字状の３つのフック９４１、９４２、９４３を備える。また、電池パック９は、ハウジング本体９１の一面９１１から露出してフック９４２とフック９４３との間に配置されるロック部９５を備える。ロック部９５は、ハウジング本体９１の一面９１１を含む壁の孔９１５に挿通されている。ロック部９５は、ハウジング本体９１内に収納された復帰ばねによって、ハウジング本体９１の一面９１１から突出する方向の力が与えられている。ここにおいて、復帰ばねは、圧縮コイルばねである。また、電池パック９は、ロック部９５によるロック状態を解除するためのロック解除操作部９７（図３及び６参照）を備える。
【００１７】
装着部１０は、図８に示すように、ベース２の第２面２２に形成され電池パック９（図９参照）の突台部９２を収容する凹部１００を有する。凹部１００は、ベース２の第２面２２側及びベース２の長手方向の一側面２３側が開放されている。装着部１０は、凹部１００の短手方向の一対の内側面１０３の各々に設けられ電池パック９のフック９４１、９４２、９４３にそれぞれ引っ掛かるＬ字状の３つのフック１３１、１３２、１３３を備える。また、装着部１０は、電池パック９の通信用コネクタ９９に接続可能な通信用コネクタ１０９と、電池パック９の３つの接続端子９６１、９６２、９６３のうち２つの接続端子９６１、９６２に差し込み接続される２つの電源端子１１１、１１２と、を備える。ここにおいて、接続端子９６１は、電池パック９の正極の電源端子である。また、接続端子９６２は、電池パック９の負極の電源端子である。
【００１８】
装着部１０に電池パック９を装着するときには、例えば、電池パック９のフック９４１、９４２、９４３と装着部１０のフック１３１、１３２、１３３とが干渉しないように電池パック９の突台部９２をベース２の第２面２２側から装着部１０の凹部１００に挿入する。その後、電池パック９を突台部９２の第１端９２１側にずらすことにより、装着部１０に電池パック９を装着することができる。装着部１０に電池パック９を装着したときには、電池パック９のフック９４１、９４２、９４３が、装着部１０のフック１３１、１３２、１３３にそれぞれ引っ掛かっている。また、電池パック９のロック部９５が、電池パック９のフック９４３に引っ掛かっている装着部１０のフック１３３をロックしたロック状態となる。
【００１９】
装着部１０から電池パック９を取り外すときには、例えば、電池パック９に設けられているロック解除操作部９７を操作することでフック９４２とフック９４３との間に配置されているロック部９５を復帰ばねのばね力に抗して動かし、電池パック９を突台部９２の第２端９２２側にずらしてから、電池パック９を装着部１０の凹部１００の内底面１０１から離す向きに動かせばよい。
【００２０】
光源ユニット３は、図３、７及び１４に示すように、光源３０と、ケース３２と、を備える。光源３０は、ケース３２に収納されている。光源３０は、２つのＬＥＤモジュール３１を備える。２つのＬＥＤモジュール３１の各々は、ＬＥＤ３１１と、ＬＥＤ３１１が実装された回路基板３１２と、を備える。また、２つのＬＥＤモジュール３１の各々は、光源ユニット３と回路ユニット８（図１及び６参照）とを接続する給電用リード線３９１（図７参照）等が接続されるコネクタ３４（図３参照）を備えている。
【００２１】
ＬＥＤ３１１は、例えば、表面実装型ＬＥＤである。ＬＥＤ３１１の光源色は、例えば、ＪＩＳ  Ｚ９１１２：２０１２で定義されているＬＥＤの光源色の相関色温度に基づいて設定されているのが好ましい。ＬＥＤ３１１の光源色は、昼白色であるがこれに限らず、例えば、電球色でもよい。
【００２２】
回路基板３１２は、一例として、プリント配線板により構成されている。プリント配線板は、熱伝導率が高いのが好ましい。プリント配線板は、一例として、金属ベースプリント配線板である。回路基板３１２を構成するプリント配線板は、金属ベースプリント配線板に限らず、例えば、ＣＥＭ−３（Composite Epoxy Materials-3）の規格を満たすガラス布・ガラス不織布複合基材エポキシ樹脂銅張積層板から形成されていてもよい。
【００２３】
ＬＥＤモジュール３１は、ＬＥＤ３１１を複数（例えば、５個）備えるのが好ましい。ＬＥＤモジュール３１では、回路基板３１２が、長尺の平板状に形成されている。ＬＥＤモジュール３１は、５個のＬＥＤ３１１が回路基板３１２上において回路基板３１２の長手方向に沿って一列に並んで配置され、これら５個のＬＥＤ３１１が直列接続されている。また、光源３０では、１０個のＬＥＤ３１１が直列接続されるように２つのＬＥＤモジュール３１の回路基板３１２の導体部同士がリード線によって接続されている。ＬＥＤモジュール３１では、５個のＬＥＤ３１１が、略等間隔で並んでいる。ここでいう「略等間隔」とは、厳密に同じ間隔でなくてもよく、所定の範囲内の間隔であればよい。
【００２４】
複数の光源ユニット３の各々では、２つの回路基板３１２を一平面上で平行に配置した場合と比べて配光角を大きくするように、２つの回路基板３１２が、光源ユニット３の厚さ方向に直交する平面に対して互いに異なる向きに傾けて配置されている。これにより、複数の光源ユニット３の各々は、２つのＬＥＤモジュール３１のＬＥＤ３１１の光軸が互いに異なる方向を向くようにケース３２内に配置されている。
【００２５】
ＬＥＤモジュール３１は、ケース３２内に、光源３０からの光を光出射面３２２２側に反射させる反射板３７（図７及び１４参照）を備える。反射板３７の材質は、金属（例えば、アルミニウム）である。反射板３７は、ＬＥＤモジュール３１で発生した熱を放熱させるための放熱板としての機能も有する。
【００２６】
ケース３２は、パネル状に形成されている。ケース３２の厚さ方向から見たケース３２の外周形状は、長方形状である。ケース３２は、光源３０を保持するボディ３２１と、光源３０を覆うようにボディ３２１に結合され表面の少なくとも一部が光出射面３２２２を構成するカバー３２２と、を有する。ボディ３２１は、ＡＢＳ樹脂等により形成されている。カバー３２２は、ポリカーボネート等により形成されている。光源ユニット３では、光源３０から放射された光が光出射面３２２２から出射される。
【００２７】
光源ユニット３は、ケース３２における光出射面３２２２側とは反対側の背面３２１２（図６参照）から突出した突起３３（図６参照）を更に備える。これにより、照明器具１は、背面３２１２に突起３３を備えていない場合と比べて放熱面積を増大させることが可能となり、放熱性を向上させることが可能となる。光源ユニット３は、突起３３を複数備えるのが好ましい。これにより、照明器具１は、放熱性を更に向上させることが可能となる。光源ユニット３では、複数の突起３３の各々は、ケース３２の長手方向に沿って形成されている。
【００２８】
光源ユニット３は、図７及び１４に示すように、ＬＥＤモジュール３１と反射板３７との間に介在する熱伝導性シート３６を更に有するのが好ましい。熱伝導性シート３６は、電気絶縁性及び熱伝導性を有する。熱伝導性シート３６は、例えば、電気絶縁性及び熱伝導性を有するシリコーンゲルのシートである。この種のシリコーンゲルのシートとしては、例えば、サーコン（登録商標）等を採用することができる。また、熱伝導性シートの材料は、シリコーンゲルに限らず、電気絶縁性及び熱伝導性を有していれば、例えば、エラストマー等でもよい。
【００２９】
光源ユニット３は、ＬＥＤモジュール３１と反射板３７との間に介在する熱伝導性シート３６を備えるので、ＬＥＤモジュール３１で発生した熱を、反射板３７へ効率良く伝熱させることが可能となる。よって、光源ユニット３は、ＬＥＤモジュール３１で発生した熱を、反射板３７を介して効率良く放熱させることが可能となる。
【００３０】
照明器具１は、上述のように、複数（２つ）の光源ユニット３とベース２とを連結する連結装置４を備える（図３等参照）。連結装置４は、複数の光源ユニット３の各々を第１軸５０（図６参照）の周り及び第１軸５０に交差する第２軸６０（図６参照）の周りで回転可能とするように構成されている。連結装置４は、軸体７（図５、６、１２及び１３参照）と、ホルダ２０と、複数（２つ）のヒンジ装置５と、複数（２つ）の回転機構６（図６参照）と、を備える。
【００３１】
照明器具１では、図６及び１２に示すように、軸体７により第１軸５０が規定される。言い換えれば、照明器具１では、軸体７の軸線が、第１軸５０を構成している。軸体７は、シャフト７１を含んでいる。軸体７は、ホルダ２０に保持されている。ホルダ２０は、中空円柱状である。ホルダ２０は、ベース２の第１面２１から突出している。ここにおいて、ホルダ２０は、ベース２に一体に形成されている。ホルダ２０は、ベース２の短手方向に沿った方向が軸方向となるように配置されている。ホルダ２０は、軸方向の両端の各々にホルダ２０の両端間の部位よりも外径の小さな軸部２０１を有する。軸体７は、ホルダ２０の一対の軸部２０１の各々の孔２０４に挿通されている。
【００３２】
ヒンジ装置５は、光源ユニット３を第１軸５０の周りにおいて第１位置（以下、「基準位置」ともいう）と第２位置（以下、「展開位置」ともいう）との間で回転可能となるように光源ユニット３をベース２に連結する。基準位置は、複数の光源ユニット３の各々において他の光源ユニット３と先端同士が最も近づく位置である。展開位置は、複数の光源ユニット３の各々において基準位置から最大回転角だけ回転させた位置である。
【００３３】
ヒンジ装置５は、軸受部５１と、リング部５２と、連結部５３と、ヒンジ部５４と、アーム５５と、を備える。
【００３４】
軸受部５１は、円筒状に形成されている。軸受部５１は、軸体７に回転可能に支持される。
【００３５】
リング部５２は、軸受部５１を囲み軸受部５１と同心的に配置されている。リング部５２の内径は、軸受部５１の外径よりも大きい。リング部５２は、リング部５２の径方向において軸受部５１から離れている。
【００３６】
連結部５３は、軸受部５１とリング部５２との間に配置され、軸受部５１とリング部５２とを連結している。
【００３７】
ヒンジ部５４は、ホルダ２０の２つの軸部２０１のうち軸受部５１から遠い位置にある軸部２０１に回転可能に保持される。軸部２０１は、リング部５２と同心的に配置されている。
【００３８】
アーム５５は、リング部５２とヒンジ部５４とを連結している。アーム５５は、リング部５２及びヒンジ部５４それぞれの径方向外向きに突出している。アーム５５は、リング部５２及びヒンジ部５４と一緒に回転する。照明器具１では、アーム５５に光源ユニット３が結合されている。
【００３９】
また、ヒンジ装置５は、図６及び１３に示すように、クリック板５６と、クリック用部材５７と、復帰ばね５８と、を更に備えるのが好ましい。
【００４０】
クリック板５６は、円弧状であり、連結部５３に重ねて配置され連結部５３に固定されている。クリック板５６は、ホルダ２０の軸部２０１との対向面に、半球状の複数の凹部５６１が形成されている。複数の凹部５６１の大きさは、同じである。複数の凹部５６１は、クリック板５６の周方向において略等間隔で並んでいる。複数の凹部５６１は、アーム５５が第１軸５０の回りにおいて第１の規定角度範囲（例えば、９０度）で回転可能となるように配置されている。
【００４１】
クリック用部材５７は、図１３に示すように、ホルダ２０内に配置される円柱状の台座５７１と、軸部２０１における先端壁２０２の円形状の孔２０３を通して軸部２０１から突出するクリック用突起５７２と、を有する。台座５７１は、孔２０３の内径よりも外径の大きな鍔部５７３を一体に有する。台座５７１は、その軸方向が第１軸５０と平行となるようにホルダ２０内に配置される。クリック用突起５７２は、半球状である。クリック用突起５７２は、クリック板５６の複数の凹部５６１の各々に出入り可能である。復帰ばね５８は、コイルばねである。復帰ばね５８は、クリック用部材５７の鍔部５７３に、クリック用突起５７２を軸部２０１から突出させる向きの力を与えている。これにより、クリック用突起５７２は、軸部２０１から突出する位置と突出しない位置との間で移動可能となっている。照明器具１では、使用者が光源ユニット３を第１軸５０の周りで回転させたときに、光源ユニット３の位置を所望の回転位置に維持しやすくなる。また、照明器具１では、使用者が光源ユニット３を回転させたときに使用者がクリック感を得ることが可能となる。
【００４２】
照明器具１は、上述のように複数のヒンジ装置５（図３、６及び１２参照）を備え、複数の光源ユニット３の各々が基準位置から展開位置に回転するときの回転方向が異なるように構成されている。より詳細には、照明器具１では、２つのヒンジ装置５でクリック板５６同士が第１軸５０（図６及び１２参照）の方向において重ならないように配置されている。以下では、説明の便宜上、２つの光源ユニット３のうち一方の光源ユニット３を光源ユニット３Ａと称し、他方の光源ユニット３を光源ユニット３Ｂと称することもある。図１０の例では、光源ユニット３Ａが光源ユニット３Ａの基準位置に在り、光源ユニット３Ｂが光源ユニット３Ｂの基準位置に在る。また、図１０では、光源ユニット３Ａの展開位置まで回転させた光源ユニット３Ａを二点鎖線で示してあり、光源ユニット３Ｂの展開位置まで回転させた光源ユニット３Ｂを二点鎖線で示してある。ヒンジ装置５による第１軸５０の周りの光源ユニット３の基準位置から展開位置への回転角は、略９０度である。
【００４３】
回転機構６は、光源ユニット３を第１軸５０に交差する第２軸６０の周りで回転可能となるように光源ユニット３をヒンジ装置５に連結する。
【００４４】
回転機構６は、図６に示すように、軸部６１と、軸受部６２と、を有する。軸部６１は、光源ユニット３の長手方向の一端で光源ユニット３に連結されている。軸部６１は、光源ユニット３においてヒンジ装置５のアーム５５に対向する対向面３５から突出している。軸部６１は、円筒状である。軸受部６２は、アーム５５に設けられ軸部６１を回転可能に保持する。照明器具１では、軸受部６２により第２軸６０が規定される。照明器具１では、軸部６１内に、一対の給電用リード線３９１（図７参照）、一対の配線用リード線３９２（図７参照）及びグラウンド用リード線３９３（図７参照）等が通されている。一対の給電用リード線３９１は、光源ユニット３と点灯回路８０（図１参照）とを電気的に接続するための一対のリード線である。一対の配線用リード線３９２は、検出回路１３（図１参照）と制御部８５（図１参照）とを電気的に接続するための一対のリード線である。グラウンド用リード線３９３は、光源ユニット３の反射板３７（図７及び１４参照）と電池パック９（図９参照）の負極の電源端子である接続端子９６２とを電気的に接続するためのリード線である。グラウンド用リード線３９３と反射板３７とは、グラウンド用リード線３９３の一端に設けたラグ端子を反射板３７に螺子３８によって固定することで電気的に接続されている。回路ユニット８（図６参照）は、プリント配線板８２に実装された２つのコネクタ８４を備えている。コネクタ８４には、一対の給電用リード線３９１及び一対の配線用リード線３９２が接続される。グラウンド用リード線３９３の他端は、装着部１０の一対の電源端子１１１、１１２のうち電源端子１１２にプリント配線板８２上で電気的に接続される。照明器具１では、電池パック９が装着部１０に装着された状態において、電源端子１１２に電池パック９の負極の電源端子が電気的に接続される。
【００４５】
回転機構６では、軸部６１は、第２軸６０の周りで３６０度よりも小さい規定の角度範囲（例えば、３３０度）で回転可能となるようにアーム５５に連結されている。回転機構６による第２軸６０の周りの光源ユニット３の回転角は、略３３０度である。
【００４６】
複数の回転機構６は、複数の光源ユニット３それぞれが基準位置に在るときに複数の光源ユニット３が集まっていて複数の光源ユニット３それぞれの光出射面３２２２が外側を向いた基準状態となるように複数の光源ユニット３の各々の第２軸６０の周りの回転範囲を規定している。複数の光源ユニット３は、個々に第１軸５０の周り及び第２軸６０の周りで回転可能である。ただし、複数の光源ユニット３それぞれが基準位置に在るときには、複数の光源ユニット３それぞれは、第１軸５０の周りの回転のみが可能であり、第２軸６０の周りの回転が禁止される。複数の光源ユニット３のうち少なくとも１つの光源ユニット３が基準位置から第１軸５０の周りに回転した位置にあれば、複数の光源ユニット３それぞれは、第２軸６０の周りの回転が可能となる。
【００４７】
照明器具１では、連結装置４により、２つの光源ユニット３の光出射面３２２２同士を対向させることも可能である。
【００４８】
照明器具１は、連結装置４に連結されたハンドル１４を更に備える。ハンドル１４は、照明器具１において、照明器具１の使用者の手に握られる構成部分である。ハンドル１４は、電気絶縁性を有する。ハンドル１４は、合成樹脂（例えば、ポリプロピレン）により形成されている。
【００４９】
ハンドル１４は、ベース２側が開放されたＵ字状に形成されている。より詳細には、ハンドル１４は、一対の側片１４１と、一対の側片１４１の基端同士を繋いでいる中央片１４２と、一対の側片１４１の各々の先端に設けられた円盤状の一対の回転体１４３と、を有する。照明器具１では、ハンドル１４が第１軸５０の周りで回転可能となるように、一対の回転体１４３が連結装置４に連結されている。
【００５０】
一対の回転体１４３の各々は、図６及び１２に示すように、ヒンジ装置５のリング部５２に回転可能に保持される軸部１４３２と、クリック用部材１４４と、復帰ばね１４５と、を有する。軸部１４３２の先端壁１４３３には、軸体７が挿通される円形状の孔１４３５が形成されている。照明器具１では、連結装置４が、軸体７に固定された一対のクリック板４９を更に備える。
【００５１】
クリック板４９は、円板状であり、ヒンジ装置５の連結部５３に重ねて配置されている。クリック板４９には、軸体７が挿通される非円形の孔４９０が形成されている。クリック板４９は、回転体１４３の軸部１４３２との対向面に、半球状の複数の凹部４９１が形成されている。複数の凹部４９１の大きさは、同じである。複数の凹部４９１は、クリック板４９の周方向において略等間隔で並んでいる。複数の凹部４９１は、回転体１４３が第１軸５０の回りにおいて第３の規定角度範囲（例えば、３６０度）で回転可能となるように配置されている。
【００５２】
クリック用部材１４４（図１２参照）は、回転体１４３内に配置される円柱状の台座１４４１と、軸部１４３２における先端壁１４３３の円形状の孔１４３４を通して軸部１４３２から突出するクリック用突起１４４２と、を有する。台座１４４１は、孔１４３４の内径よりも外径の大きな鍔部１４４３を一体に有する。台座１４４１は、その軸方向が第１軸５０と平行となるように回転体１４３内に配置される。クリック用突起１４４２は、半球状である。クリック用突起１４４２は、クリック板４９の複数の凹部４９１の各々に出入り可能である。復帰ばね１４５は、コイルばねである。復帰ばね１４５は、クリック用部材１４４の鍔部１４４３に、クリック用突起１４４２を軸部１４３２から突出させる向きの力を与えている。これにより、クリック用突起１４４２は、軸部１４３２から突出する位置と突出しない位置との間で移動可能となっている。照明器具１では、使用者がハンドル１４を第１軸５０の周りで回転させたときに、ハンドル１４の位置を所望の回転位置に維持しやすくなる。また、照明器具１では、使用者がハンドル１４を回転させたときに使用者がクリック感を得ることが可能となる。
【００５３】
照明器具１は、ハンドル１４と一体に形成されたＬ字状のグリップ１５（図３、４Ａ、４Ｂ、４Ｃ、５、６及び８参照）を更に備える。グリップ１５は、照明器具１において、照明器具１の使用者の手に握られる構成部分である。グリップ１５は、ハンドル１４における中央片１４２から一対の側片１４１側とは反対側に突出して設けられている。
【００５４】
図４Ｂに示すように、グリップ１５の一側面１５１には、Ｌ字状のフック１８を出し入れ可能に収納するＬ字状のスリット１５５が形成されている。ここにおいて、フック１８は、螺子１７（図３参照）によりグリップ１５に回転可能に連結されている。照明器具１は、フック１８を備えることにより、設置場所の自由度が高くなり、より多様な配光を実現することが可能となる。また、照明器具１は、フック１８を利用することで、照明器具１の落下を防止することが可能となる。照明器具１は、フック１８を備えることにより、例えば、建築中の建造物（住戸、ビル、施設等）において扉、間仕切り等に引っ掛けて使用することも可能である。
【００５５】
照明器具１では、上述の回路ユニット８（図６参照）は、装着部１０に装着された電池パック９から給電されて複数の光源ユニット３の各々の光源３０を点灯させることができるように構成されている。より詳細には、回路ユニット８は、電池パック９から給電されてＬＥＤモジュール３１を点灯させる点灯回路８０（図１参照）を有する。また、回路ユニット８は、電池パック９から供給される直流電圧を所定の電源電圧にＤＣ−ＤＣ変換して点灯回路８０へ与える電源回路８１（図１参照）を有する。電源回路８１は、例えば、昇圧チョッパ回路である。点灯回路８０は、例えば、スイッチング素子、抵抗及び制御用ＩＣ（Integrated Circuit）等を構成要素として含む定電流回路である。したがって、点灯回路８０は、ＬＥＤモジュール３１へ定電流を供給することができる。定電流回路は、例えば、降圧チョッパ回路である。スイッチング素子は、例えば、エンハンスメント型のｎチャネルＭＯＳＦＥＴである。制御用ＩＣは、スイッチング素子のオン、オフを制御する。制御用ＩＣは、スイッチング素子のオンオフを制御することにより、定電流回路からＬＥＤモジュール３１に供給する定電流の電流値の大きさを調整するように構成されている。ＬＥＤモジュール３１を定格点灯させるときの電流値は、例えば、２８０ｍＡである。また、ＬＥＤモジュール３１を定格点灯時の光出力の１０％の光出力となるように調光点灯させるときの電流値は、例えば、２８ｍＡである。
【００５６】
また、回路ユニット８（図１参照）は、電池パック９から供給される直流電圧を所定の制御電圧（例えば、５Ｖ）にＤＣ−ＤＣ変換して検出回路１３及び制御部８５へ与える制御電源回路８３を有する。制御電源回路８３は、例えば、三端子レギュレータ及びコンデンサ等を含んでいる。制御部８５は、マイコン（Microcontroller）を含む。マイコンは、プログラムに従って動作するプロセッサと、プロセッサを動作させるプログラムを格納するためのメモリ及び作業用のメモリと、を備えた１チップのデバイスとして構成される。制御部８５は、マイコンにプログラムを実行させることにより、実現することができる。マイコンのグラウンド端子はグラウンドに接地されている。回路ユニット８のプリント配線板８２には、装着部１０の一対の電源端子１１１、１１２及び通信用コネクタ１０９も実装されている。
【００５７】
回路ユニット８では、上述のプリント配線板８２（図６参照）に、電源回路８１の構成部品、制御電源回路８３の構成部品、点灯回路８０の構成部品、制御部８５の構成部品等が実装されている。装着部１０の一対の電源端子１１１、１１２及び通信用コネクタ１０９は、回路ユニット８のプリント配線板８２に実装されている。
【００５８】
照明器具１は、光源ユニット３の全点灯（定格点灯）、調光点灯及び消灯を指示するための操作スイッチ１２（図３及び６参照）を備えている。操作スイッチ１２は、押釦スイッチである。操作スイッチ１２は、プリント配線板８２（図６参照）に実装されており、制御部８５（図１参照）に電気的に接続されている。ベース２は、操作スイッチ１２の押釦１２１をベース２の第１面２１側に露出させる孔２１１（図６参照）を有する。
【００５９】
照明器具１では、操作スイッチ１２が操作されたときに回路ユニット８の制御部８５（図１参照）が操作信号を取得する。ここにおいて、「制御部８５が操作信号を取得する」とは、制御部８５が、操作スイッチ１２が操作されたことを検知することであってもよい。制御部８５は、操作スイッチ１２が操作される度に操作信号を取得する。制御部８５は、操作信号を取得する度に、複数の光源ユニット３を全点灯状態、第１調光点灯状態、第２調光点灯状態、消灯状態の順に変化させるように構成されている。これにより、照明器具１は、多様な照明シーンを実現することが可能となる。光源ユニット３の第１調光点灯状態の場合の光出力は、例えば、全点灯状態の場合の光出力の５０％であり、第２調光点灯状態の場合の光出力は、例えば、全点灯状態の場合の光出力の１０％であり、消灯状態の場合の光出力は、全点灯状態の場合の光出力の０％である。制御部８５は、点灯回路８０に光源ユニット３の光出力の大きさを指示するための調光信号を出力する出力部８５３を有している。
【００６０】
点灯回路８０は、制御部８５の出力部８５３から出力される調光信号に応じて光源ユニット３のＬＥＤモジュール３１へ供給する電流の電流値を変えるように構成されている。要するに、点灯回路８０は、光源ユニット３における１０個のＬＥＤ３１１の直列回路に流れる電流の電流値を、制御部８５の出力部８５３から出力される調光信号に応じて変えるように構成されている。出力部８５３から出力される調光信号は、例えば、デューティ比で調光レベルを指示するＰＷＭ信号である。ＰＷＭ信号は、例えば、振幅が５Ｖの矩形波信号である。回路ユニット８は、ＰＷＭ信号を平均化する平均化回路８８（図１参照）を有している。平均化回路８８は、２つの抵抗Ｒ１、Ｒ２の直列回路と、抵抗Ｒ２に並列接続されるコンデンサＣ１と、を有する積分回路である。点灯回路８０は、平均化回路８８の出力電圧（コンデンサＣ１の両端電圧）の電圧値に基づいて光源ユニット３のＬＥＤモジュール３１へ供給する電流の電流値を変える。平均化回路８８の出力電圧の電圧値は、ＰＷＭ信号のデューティ比が大きいほど大きくなる。点灯回路８０では、上述の制御用ＩＣは、平均化回路８８の出力電圧の電圧値が小さいほど、点灯回路８０から光源ユニット３のＬＥＤモジュール３１へ供給する電流の電流値が小さくなるようにスイッチング素子をオンオフ制御する。制御用ＩＣは、平均化回路８８からデューティ比１００％のＰＷＭ信号に対応する電圧値が入力された場合、光源ユニット３の光出力を１００％とするように点灯回路８０から出力する電流を制御する。制御用ＩＣは、平均化回路８８からデューティ比５０％のＰＷＭ信号に対応する電圧値が入力された場合、光源ユニット３の光出力を５０％とするように点灯回路８０から出力する電流を制御する。制御用ＩＣは、平均化回路８８からデューティ比１０％のＰＷＭ信号に対応する電圧値が入力された場合、光源ユニット３の光出力を１０％とするように点灯回路８０から出力する電流を制御する。制御用ＩＣは、平均化回路８８からデューティ比０％のＰＷＭ信号に対応する電圧値が入力された場合、点灯回路８０から光源ユニット３へ電流を流さない。
【００６１】
照明器具１は、上述のように、複数の光源ユニット３の各々の温度変化に応じて検出値が変化する複数（ここでは、２つ）の検出回路１３（図１参照）を備える。
【００６２】
複数の検出回路１３の各々は、光源ユニット３の温度に応じて電気抵抗値が変化する感温素子ＲＴを含む。複数の検出回路１３の各々は、感温素子ＲＴの電気抵抗値の変化に応じて検出値が変化する。複数の検出回路１３は、複数の光源ユニット３と一対一に対応している。以下では、説明の便宜上、２つの検出回路１３のうち光源ユニット３Ａの温度変化に応じて検出値が変化する検出回路１３を第１検出回路１３Ａと称し、光源ユニット３Ｂの温度変化に応じて検出値が変化する検出回路１３を第２検出回路１３Ｂと称することもある。
【００６３】
検出回路１３は、複数（ここでは、２つ）のＬＥＤモジュール３１に一対一に対応するように感温素子ＲＴを複数（ここでは、２つ）有し、かつ、抵抗素子Ｒ０を更に有する。検出回路１３では、抵抗素子Ｒ０と複数の感温素子ＲＴとが直列接続されている。複数の感温素子ＲＴの各々は、ＮＣＴサーミスタであり、複数のＬＥＤモジュール３１のうち対応するＬＥＤモジュール３１の温度に応じて電気抵抗値が変化するように配置されている。より詳細には、複数の感温素子ＲＴの各々は、複数のＬＥＤモジュール３１のうち対応するＬＥＤモジュール３１の回路基板３１２に実装されている。ここにおいて、感温素子ＲＴは、回路基板３１２上において、５つのＬＥＤ３１１のうち上述の軸部６１（図１４参照）に最も近いＬＥＤ３１１の近傍に配置されている。
【００６４】
照明器具１は、上述のように、電池パック９から供給される直流電圧を所定の制御電圧（例えば、５Ｖ）にＤＣ−ＤＣ変換して検出回路１３及び制御部８５へ与える制御電源回路８３を備える。検出回路１３では、抵抗素子Ｒ０が制御電源回路８３の一対の出力端８３１、８３２のうち高電位側の出力端８３１に接続されている。抵抗素子Ｒ０は、ベース２に収納されている。より詳細には、抵抗素子Ｒ０は、ベース２内に収納されるプリント配線板８２に実装されている。
【００６５】
制御部８５は、例えば、Ａ／Ｄ変換部８５０と、出力部８５３と、を有する。Ａ／Ｄ変換部８５０は、検出回路１３の検出値であるアナログの第１電圧信号をデジタルの第２電圧信号に変換して出力する。出力部８５３は、Ａ／Ｄ変換部８５０から出力される第２電圧信号に応じたＰＷＭ信号を出力する。点灯回路８０は、ＰＷＭ信号に応じてＬＥＤモジュール３１へ供給する電流の電流値を変える。より詳細には、点灯回路８０は、上述の平均化回路８８の出力電圧の電圧値に基づいてＬＥＤモジュール３１へ供給する電流の電流値を変える。
【００６６】
制御部８５は、複数の検出回路１３の各々における抵抗素子Ｒ０と感温素子ＲＴとの接続点がＡ／Ｄ変換部８５０に接続されている。ここにおいて、制御部８５は、例えば、２つの検出回路１３の検出値を交互にＡ／Ｄ変換するために第１切替部８５１及び第２切替部８５２を有している。第１切替部８５１は、制御部８５の含むマイコンにおいて第１検出回路１３Ａの２つの感温素子ＲＴのうち低電位側の感温素子ＲＴが接続される第１端子に接続されている。第２切替部８５２は、制御部８５の含むマイコンにおいて第２検出回路１３Ｂの２つの感温素子ＲＴのうち低電位側の感温素子ＲＴが接続される第２端子に接続されている。第１切替部８５１は、第１端子がマイコンのグラウンドに接続される状態と第１端子がハイインピーダンス状態（オープン）にされる状態とを切り替えることができるように構成されている。第２切替部８５２は、第２端子がマイコンのグラウンドに接続される状態と第２端子がハイインピーダンス状態（オープン）にされる状態とを切り替えることができるように構成されている。制御部８５は、第１切替部８５１及び第２切替部８５２の制御状態として第１状態と、第２状態と、がある。第１状態では、第１端子がマイコンのグラウンドに接続され、かつ、第２端子がハイインピーダンス状態になる。第２状態では、第２端子がマイコンのグラウンドに接続され、かつ、第１端子がハイインピーダンス状態になる。したがって、制御部８５では、第１状態と第２状態とが交互に繰り返されるように第１切替部８５１及び第２切替部８５２を制御することによって、１つのＡ／Ｄ変換部８５０で２つの検出回路１３の検出値を交互にＡ／Ｄ変換することができる。
【００６７】
制御部８５は、検出回路１３による検出値がモジュール温度（ＬＥＤモジュール３１の温度）の第１規定温度ｔ１（例えば、１００℃）に対応する第１閾値に達すると点灯回路８０によってＬＥＤモジュール３１の光出力を低減させる（図２参照）。ここにおいて、制御部８５は、例えば、ＬＥＤモジュール３１の光出力を定格点灯時の１０％の光出力に低減させる（光出力比を１０％に低下させる）。その後、制御部８５は、検出回路１３による検出値がモジュール温度の第１規定温度ｔ１よりも高温の第２規定温度ｔ２（例えば、１２０℃）に対応する第２閾値に達すると点灯回路８０によってＬＥＤモジュール３１を消灯させる（図２参照）。これにより、照明器具１では、光源ユニット３の温度上昇が抑制され、例えば、ＬＥＤ３１１の短寿命化、ケース３２の軟化等が抑制される。
【００６８】
また、制御部８５は、電池パック９から電池パック９の温度情報を取得する取得部８５４を更に有する。制御部８５は、取得部８５４において取得した温度情報（電池温度）が第３規定温度ｔ３（例えば、５５℃）に対応する第３閾値に達すると点灯回路８０によってＬＥＤモジュール３１の光出力を低減させる（図２参照）。ここにおいて、制御部８５は、例えば、ＬＥＤモジュール３１の光出力を定格点灯時の１０％の光出力に低減させる。その後、制御部８５は、取得部８５４において取得した温度情報が第３規定温度ｔ３よりも高温の第４規定温度ｔ４（例えば、６５℃）に対応する第４閾値に達すると点灯回路８０によってＬＥＤモジュール３１を消灯させる（図２参照）。これにより、照明器具１では、例えば、使用している電池パック９の短寿命化等を抑制することが可能となる。
【００６９】
上記の実施形態は、本発明の様々な実施形態の一つに過ぎない。上記の実施形態は、本発明の目的を達成できれば、設計等に応じて種々の変更が可能である。
【００７０】
例えば、照明器具１では、２つの光源ユニット３を備えているが、光源ユニット３の数は２つに限らず、３つ以上でもよいし、１つでもよい。
【００７１】
また、回路基板３１２は、プリント配線板に限らず、例えば、ＭＩＤ（Molded Interconnect Devices）等でもよい。
【００７２】
また、感温素子ＲＴは、ＮＴＣサーミスタに限らず、例えば、ＰＴＣサーミスタであってもよい。また、感温素子ＲＴは、サーミスタに限らず、例えば、抵抗ボロメータ等でもよい。
【００７３】
また、検出回路１３は、感温素子ＲＴを２つ備えているが、これに限らず、感温素子ＲＴを１つだけ備える構成でもよい。また、検出回路１３は、抵抗素子Ｒ０を備えているが、必ずしも抵抗素子Ｒ０を備えている必要はない。
【００７４】
上述の実施形態等から明らかなように、第１の態様に係る照明器具（１）は、光源ユニット（３）と、点灯回路（８０）と、検出回路（１３）と、制御部（８５）と、を備える。光源ユニット（３）は、ＬＥＤモジュール（３１）と、ＬＥＤモジュール（３１）を収納したケース（３２）と、を有する。点灯回路（８０）は、電池パック（９）から給電されてＬＥＤモジュール（３１）を点灯させる。検出回路（１３）は、光源ユニット（３）の温度に応じて電気抵抗値が変化する感温素子（ＲＴ）を含み、感温素子（ＲＴ）の電気抵抗値の変化に応じて検出値が変化する。制御部（８５）は、検出回路（１３）による検出値が第１規定温度（ｔ１）に対応する第１閾値に達すると、点灯回路（８０）によってＬＥＤモジュール（３１）の光出力を低減させる。制御部（８５）は、検出回路（１３）による検出値が第１規定温度（ｔ１）よりも高温の第２規定温度（ｔ２）に対応する第２閾値に達すると、点灯回路（８０）によってＬＥＤモジュール（３１）を消灯させる。
【００７５】
以上の構成により、照明器具（１）は、温度に対する信頼性の向上を図ることが可能となる。
【００７６】
第２の態様に係る照明器具（１）では、第１の態様において、光源ユニット（３）は、ケース（３２）内にＬＥＤモジュール（３１）を複数有する。検出回路（１３）は、複数のＬＥＤモジュール（３１）に一対一に対応するように感温素子（ＲＴ）を複数有し、かつ、抵抗素子（Ｒ０）を更に有する。検出回路（１３）では、抵抗素子（Ｒ０）と複数の感温素子（ＲＴ）とが直列接続されている。これにより、照明器具（１）では、温度に対する信頼性の更なる向上を図ることが可能となる。
【００７７】
第３の態様に係る照明器具（１）では、第２の態様において、複数のＬＥＤモジュール（３１）の各々は、ＬＥＤ（３１１）と、ＬＥＤ（３１１）が実装された回路基板（３１２）と、を有する。複数の感温素子（ＲＴ）の各々は、複数のＬＥＤモジュール（３１）のうち対応するＬＥＤモジュール（３１）の回路基板（３１２）に実装されている。これにより、照明器具（１）では、温度に対する信頼性の更なる向上を図ることが可能となる。
【００７８】
第４の態様に係る照明器具（１）では、第３の態様において、複数の感温素子（ＲＴ）の各々は、ＮＣＴサーミスタであり、複数のＬＥＤモジュール（３１）のうち対応するＬＥＤモジュール（３１）の温度に応じて電気抵抗値が変化するように配置されている。照明器具（１）は、電池パック（９）から供給される直流電圧を所定の制御電圧にＤＣ−ＤＣ変換して検出回路（１３）及び制御部（８５）へ与える制御電源回路（８３）を備える。検出回路（１３）では、抵抗素子（Ｒ０）が制御電源回路（８３）の一対の出力端（８３１、８３２）のうち高電位側の出力端（８３１）に接続されている。これにより、照明器具（１）では、温度に対する信頼性の更なる向上を図ることが可能となる。また、照明器具（１）では、検出回路（１３）の複数の感温素子（ＲＴ）のうちの少なくとも１つの感温素子（ＲＴ）がショートした場合、点灯回路（８０）によってＬＥＤモジュール（３１）の光出力を低減させたり、ＬＥＤモジュール（３１）を消灯させることが可能となる。
【００７９】
第５の態様に係る照明器具（１）では、第４の態様において、制御部（８５）は、Ａ／Ｄ変換部（８５０）と、出力部（８５３）と、を有する。Ａ／Ｄ変換部（８５０）は、検出回路（１３）の検出値であるアナログの第１電圧信号をデジタルの第２電圧信号に変換して出力する。出力部（８５３）は、Ａ／Ｄ変換部（８５０）から出力される第２電圧信号に応じたＰＷＭ信号を出力する。点灯回路（８０）は、ＰＷＭ信号に応じてＬＥＤモジュール（３１）へ供給する電流の電流値を変える。これにより、照明器具（１）では、温度に対する信頼性の向上を図ることが可能となる。
【００８０】
第６の態様に係る照明器具（１）は、第２乃至５の態様において、電池パック（９）が着脱可能に装着される装着部（１０）を有するベース（２）を備える。制御部（８５）、点灯回路（８０）及び抵抗素子（Ｒ０）は、ベース（２）に収納されている。これにより、照明器具（１）では、光源ユニット（３）に制御部（８５）、点灯回路（８０）及び抵抗素子（Ｒ０）が設けられている場合に比べて、光源ユニット（３）、制御部（８５）、点灯回路（８０）及び抵抗素子（Ｒ０）の温度上昇を抑制することが可能となる。よって、照明器具（１）では、温度に対する信頼性の更なる向上を図ることが可能となる。
【００８１】
第７の態様に係る照明器具（１）は、第６の態様において、光源ユニット（３）を複数備え、複数の光源ユニット（３）をベース（２）に連結する連結装置（４）を更に備える。連結装置（４）は、複数のヒンジ装置（５）と、複数の回転機構（６）と、を有する。複数のヒンジ装置（５）は、複数の光源ユニット（３）の各々を第１軸（５０）の周りにおいて第１位置と第２位置との間で回転可能となるように複数の光源ユニット（３）をベース（２）に連結する。複数の回転機構（６）は、複数の光源ユニット（３）の各々を第１軸（５０）に交差する第２軸（６０）の周りで回転可能となるように複数の光源ユニット（３）の各々を複数のヒンジ装置（５）に連結する。複数のヒンジ装置（５）は、複数の光源ユニット（３）の各々が第１位置から第２位置に回転するときの回転方向が異なるように構成されている。複数の回転機構（６）は、複数の光源ユニット（３）それぞれが第１位置に在るときに複数の光源ユニット（３）が集まっていて複数の光源ユニット（３）それぞれの光出射面（３２２２）が外側を向いた基準状態となるように複数の光源ユニット（３）の各々の第２軸（６０）の周りの回転範囲を規定している。これにより、照明器具（１）では、より多様な配光を実現可能となり、また、複数の光源ユニット（３）それぞれの位置に限らず、温度に対する信頼性の向上を図ることが可能となる。
【００８２】
第８の態様に係る照明器具（１）では、第７の態様において、複数のヒンジ装置（５）の各々は、第１軸（５０）の周りで回転可能なリング状のヒンジ部（５４）及びリング部（５２）と、ヒンジ部（５４）とリング部（５２）とを連結しヒンジ部（５４）及びリング部（５２）の径方向外向きに突出したアーム（５５）と、を有する。複数の回転機構（６）の各々は、筒状の軸部（６１）と、軸受部（６２）と、を有する。軸部（６１）は、複数の光源ユニット（３）の各々においてアーム（５５）との対向面（３５）から突出している。軸受部（６２）は、アーム（５５）に設けられ軸部（６１）を回転可能に保持し第２軸（６０）を規定する。照明器具（１）は、光源ユニット（３）のケース（３２）内のＬＥＤモジュール（３１）と点灯回路（８０）とを接続する一対の給電用リード線（３９１）と、検出回路（１３）における複数の感温素子（ＲＴ）の直列回路の両端それぞれに１本ずつ接続された一対の配線用リード線（３９２）と、を有する。一対の給電用リード線（３９１）及び一対の配線用リード線（３９２）が、軸部（６１）を通っている。これらにより、照明器具（１）では、複数の光源ユニット（３）それぞれが第１位置に在るときに複数の光源ユニット（３）が第２軸（６０）の周りで回転するのを禁止することが可能となる。また、照明器具（１）では、第１軸（５０）と第２軸（６０）とを直交させることが可能となる。また、照明器具（１）では、一対の給電用リード線（３９１）及び一対の配線用リード線（３９２）が捩れるのを抑制することが可能となる。
【００８３】
第９の態様に係る照明器具（１）では、第１乃至８の態様において、制御部（８５）は、電池パック（９）から電池パック（９）の温度情報を取得する取得部（８５４）を更に有する。制御部（８５）は、取得部（８５４）において取得した温度情報が第３規定温度（ｔ３）に対応する第３閾値に達すると、点灯回路（８０）によってＬＥＤモジュール（３１）の光出力を低減させる。制御部（８５）は、取得部（８５４）において取得した温度情報が第３規定温度（ｔ３）よりも高温の第４規定温度（ｔ４）に対応する第４閾値に達すると、点灯回路（８０）によってＬＥＤモジュール（３１）を消灯させる。これにより、照明器具（１）では、電池パック（９）の温度上昇を抑制することが可能となり、温度に対する信頼性の向上を図ることが可能となる。
【符号の説明】
【００８４】
１  照明器具
２  ベース
３  光源ユニット
３０  光源
３１  ＬＥＤモジュール
３１１  ＬＥＤ
３１２  回路基板
３２  ケース
３２１２  背面
３２２２  光出射面
３３  突起
３５  対向面
４  連結装置
５  ヒンジ装置
５０  第１軸
５２  リング部
５４  ヒンジ部
５５  アーム
６  回転機構
６０  第２軸
６１  軸部
６２  軸受部
８０  点灯回路
８３  制御電源回路
８３１  出力端
８３２  出力端
８５  制御部
８５０  Ａ／Ｄ変換部
８５３  出力部
８５４  取得部
９  電池パック
１０  装着部
３９１  給電用リード線
３９２  配線用リード線
ＲＴ  感温素子
Ｒ０  抵抗素子
ｔ１  第１規定温度
ｔ２  第２規定温度
ｔ３  第３規定温度
ｔ４  第４規定温度
【図１】
2018174103.tif 000003
【図２】
2018174103.tif 000004
【図３】
2018174103.tif 000005
【図４】
2018174103.tif 000006
【図５】
2018174103.tif 000007
【図６】
2018174103.tif 000008
【図７】
2018174103.tif 000009
【図８】
2018174103.tif 000010
【図９】
2018174103.tif 000011
【図１０】
2018174103.tif 000012
【図１１】
2018174103.tif 000013
【図１２】
2018174103.tif 000014
【図１３】
2018174103.tif 000015
【図１４】
2018174103.tif 000016